【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
熱可塑性複合物品であって、強化繊維と、ＡＳＴＭ  Ｄ１２３８、条件Ｌで測定したときに３２５ｇ／１０分を超えるメルトフローインデックスを有する熱可塑性樹脂と、を含む、繊維強化熱可塑性ポリマーコア層を含む、熱可塑性複合物品。
【請求項２】
前記繊維強化熱可塑性ポリマーコア層が、透過性であり、かつ約０．１ｇｍ／ｃｍ３〜約１．８ｇｍ／ｃｍ３の密度を有する、請求項１に記載の熱可塑性複合物品。
【請求項３】
前記繊維強化熱可塑性ポリマーコア層が、前記繊維強化熱可塑性ポリマーコア層の約２０体積％〜８０体積％の多孔率を有する、請求項１に記載の熱可塑性複合物品。
【請求項４】
３２５ｇ／１０分を超えるメルトフローインデックスを有する前記熱可塑性樹脂が、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンソイミダゾール樹脂、またはこれらのコポリマーもしくは混合物のうちの少なくとも１つを含む、請求項１に記載の熱可塑性複合物品。
【請求項５】
前記強化繊維が、ガラス繊維、炭素繊維、黒鉛繊維、合成有機繊維、無機繊維、天然繊維、鉱物繊維、金属繊維、金属化無機繊維、金属化合成繊維、セラミック繊維、またはこれらの組み合わせのうちの１つ以上を含む、請求項１に記載の熱可塑性複合物品。
【請求項６】
前記強化繊維が、ガラス繊維を含み、ＡＳＴＭ  Ｄ１２３８、条件Ｌで測定したときに３２５ｇ／１０分を超える前記メルトフローインデックスを有する前記熱可塑性樹脂が、ポリプロピレンを含む、請求項１に記載の熱可塑性複合物品。
【請求項７】
前記熱可塑性樹脂が、ＡＳＴＭ  Ｄ１２３８、条件Ｌで測定したときに、３２５ｇ／１０分を超え、７５０ｇ／１０分未満のメルトフローインデックスを有する、請求項１に記載の熱可塑性複合物品。
【請求項８】
前記熱可塑性樹脂が、ＡＳＴＭ  Ｄ１２３８、条件Ｌで測定したときに、７５０ｇ／１０分以上、１０００ｇ／１０分未満のメルトフローインデックスを有する、請求項１に記載の熱可塑性複合物品。
【請求項９】
前記熱可塑性樹脂が、ＡＳＴＭ  Ｄ１２３８、条件Ｌで測定したときに、１０００ｇ／１０分を超え、１２５０ｇ／１０分未満のメルトフローインデックスを有する、請求項１に記載の熱可塑性複合物品。
【請求項１０】
前記熱可塑性樹脂が、ＡＳＴＭ  Ｄ１２３８、条件Ｌで測定したときに、１２５０ｇ／１０分以上のメルトフローインデックスを有する、請求項１に記載の熱可塑性複合物品。
【請求項１１】
前記熱可塑性複合物品は、縦方向に約１０．７Ｎのピーク負荷と、横方向に約１１．３Ｎのピーク負荷と、縦方向に約１．２ＭＰａの曲げ強度および横方向に約１．３ＭＰａの曲げ強度と、縦方向に約１４１．１ＭＰａの曲げ接線弾性率および横方向に約１４１．８ＭＰａの曲げ接線弾性率と、縦方向に約３０．８Ｎ／ｃｍの曲げ勾配および横方向に約１８．９Ｎ／ｃｍの曲げ勾配とを有する、請求項１に記載の熱可塑性複合物品。
【請求項１２】
前記熱可塑性樹脂がポリプロピレンを含み、前記強化繊維がガラス繊維を含む、請求項１１に記載の熱可塑性複合物品。
【請求項１３】
前記熱可塑性樹脂は前記繊維強化熱可塑性ポリマーコア層の総重量に基づいて２０〜７０重量パーセントで存在する、請求項１２に記載の熱可塑性複合物品。
【請求項１４】
前記熱可塑性樹脂が、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンソイミダゾール樹脂、またはこれらのコポリマーもしくは混合物のうちの少なくとも１つを含む、請求項１１に記載の熱可塑性複合物品。
【請求項１５】
前記強化繊維が、ガラス繊維、炭素繊維、黒鉛繊維、合成有機繊維、無機繊維、天然繊維、鉱物繊維、金属繊維、金属化無機繊維、金属化合成繊維、セラミック繊維、またはこれらの組み合わせのうちの１つ以上を含む、請求項１１に記載の熱可塑性複合物品。
【請求項１６】
前記熱可塑性複合物品は、縦方向に約９．６７Ｎのピーク負荷と、横方向に約７．１８Ｎのピーク負荷と、縦方向に約３９．７９Ｎ／ｃｍの曲げ勾配と、横方向に約２４．４５Ｎ／ｃｍの曲げ勾配とを有する、請求項１に記載の熱可塑性複合物品。
【請求項１７】
前記熱可塑性樹脂がポリプロピレンを含み、前記強化繊維がガラス繊維を含む、請求項１６に記載の熱可塑性複合物品。
【請求項１８】
前記熱可塑性樹脂は前記繊維強化熱可塑性ポリマーコア層の総重量に基づいて２０〜７０重量パーセントで存在する、請求項１７に記載の熱可塑性複合物品。
【請求項１９】
前記熱可塑性樹脂が、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンソイミダゾール樹脂、またはこれらのコポリマーもしくは混合物のうちの少なくとも１つを含む、請求項１６に記載の熱可塑性複合物品。
【請求項２０】
前記強化繊維が、ガラス繊維、炭素繊維、黒鉛繊維、合成有機繊維、無機繊維、天然繊維、鉱物繊維、金属繊維、金属化無機繊維、金属化合成繊維、セラミック繊維、またはこれらの組み合わせのうちの１つ以上を含む、請求項１６に記載の熱可塑性複合物品。
【請求項２１】
前記熱可塑性複合物品は、縦方向に約１５．６２Ｎのピーク負荷と、横方向に約１１．５３Ｎのピーク負荷と、縦方向に約５９．０７Ｎ／ｃｍの曲げ勾配と、横方向に約３７．４７Ｎ／ｃｍの曲げ勾配とを有する、請求項１に記載の熱可塑性複合物品。
【請求項２２】
前記熱可塑性樹脂がポリプロピレンを含み、前記強化繊維がガラス繊維を含む、請求項２１に記載の熱可塑性複合物品。
【請求項２３】
前記熱可塑性樹脂は前記繊維強化熱可塑性ポリマーコア層の総重量に基づいて２０〜７０重量パーセントで存在する、請求項２２に記載の熱可塑性複合物品。
【請求項２４】
前記熱可塑性樹脂が、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンソイミダゾール樹脂、またはこれらのコポリマーもしくは混合物のうちの少なくとも１つを含む、請求項２１に記載の熱可塑性複合物品。
【請求項２５】
前記強化繊維が、ガラス繊維、炭素繊維、黒鉛繊維、合成有機繊維、無機繊維、天然繊維、鉱物繊維、金属繊維、金属化無機繊維、金属化合成繊維、セラミック繊維、またはこれらの組み合わせのうちの１つ以上を含む、請求項２１に記載の熱可塑性複合物品。